(57)【要約】      （修正有）【課題】安全性が高く、取り扱いが容易で、脚の起立状態においてがたつきがなく、機械的強度が大きく、信頼性の優れる折り畳みテーブルを提供する。【解決手段】使用状態では、ほぼコ字形の脚２０−１，２０−２がロック部材でロックされ、その脚２０−１，２０−２がほぼＬ字形の支持部材４０−１〜４０−４で支持されているので、水平方向の外力に対して強度が大きい。支点からロック箇所までの距離が長いので、外力が加わっても、ロック箇所に作用する力が小さい。テーブルの使用状態では、ロック部材の操作部２５ｃを引き下げてロックを解除しようとしても、鉤部材２５ｇが床等に当接して該操作部２５ｃを引き下げることができないので、ロックを解除できない。脚全体を立てる場合、テーブルを裏返して脚２０−１，２０−２を立てれば、自動的にロックが掛かるので、取り扱いが簡単である。【選択図】図１
2005130913.tif 000002
【特許請求の範囲】
【請求項１】
Ｘ方向とこれと直交するＹ方向とに広がる裏面と、前記裏面に対して反対側の表面とを有する天板と、
前記天板裏面側において前記Ｙ方向に並列に配置され、前記Ｘ方向に対してそれぞれ回転自在に軸着された梁部と、前記各梁部の両端部にそれぞれほぼ直角方向に延設された柱部と、をそれぞれ有する第１及び第２の脚と、
前記各柱部の先端から前記各梁部方向にそれぞれ形成された第１、第２、第３及び第４の案内溝と、
前記天板裏面側において前記各案内溝に対応して前記Ｘ方向にそれぞれ配設され、前記各柱部が前記天板裏面側にそれぞれ折り畳まれた時に前記各案内溝にそれぞれ挿入される軸受け本体と、前記各軸受け本体にそれぞれ突設され、前記各柱部が前記天板裏面側にそれぞれ折り畳まれた時に前記各案内溝にそれぞれ挿入される第１の係止部と、をそれぞれ有する第１、第２、第３及び第４の軸受け部材と、
前記各案内溝内にそれぞれ摺動自在に装着され、一端が前記各第１の係止部に対してそれぞれ離接する摺動部材と、前記各摺動部材における一端と他端との間にそれぞれ設けられた係合部と、前記各摺動部材の他端側にそれぞれ設けられ、前記各案内溝からそれぞれ突出する操作部と、前記各摺動部材の一端を前記各第１の係止部方向へそれぞれ付勢する第１の弾性部材と、前記各摺動部材の他端にそれぞれ蝶着され、前記各案内溝の端部に対してそれぞれ係合／離脱可能な鉤部材と、前記各鉤部材にそれぞれ屈曲力を与え、前記各第１の弾性部材の付勢力に抗して前記各操作部により前記各鉤部材が前記各案内溝の端部からそれぞれ引き出された時に前記各鉤部材を前記各案内溝の端部にそれぞれ係合させる第２の弾性部材と、をそれぞれ有する第１、第２、第３及び第４のロック部材と、
前記各軸受け本体において前記Ｙ方向にそれぞれ回転自在に軸着され、前記各柱部における前記Ｘ方向への回転時に前記各案内溝をそれぞれ通過させる補強部と、前記各補強部にそれぞれ突設され、前記各柱部における前記天板裏面側から、前記Ｘ方向及び前記Ｙ方向に対して直交するＺ方向への回転時に前記各摺動部材の一端とそれぞれ接触し、前記各柱部の回転角度が前記Ｚ方向の時に前記各摺動部材の一端をそれぞれ引き込む案内部と、前記各補強部にそれぞれ固定され、前記各補強部における前記天板裏面側と前記Ｚ方向との間の回転時に前記各補強部を前記Ｚ方向の回転位置でそれぞれ係止し、且つ前記各柱部における前記天板裏面側と前記Ｚ方向との間の回転時に前記各柱部を前記Ｚ方向の回転位置でそれぞれ係止する支持部と、前記各柱部が前記Ｚ方向の回転角度の時に前記各摺動部材の係合部を係止して前記各柱部をそれぞれ固定する第２の係止部と、をそれぞれ有する第１、第２、第３及び第４の支持部材と、
を備えたことを特徴とする折り畳みテーブル。
【請求項２】
請求項１記載の折り畳みテーブルにおいて、
前記天板裏面側の前記各鉤部材と対応する位置にそれぞれ配置され、前記各脚の折り畳み時に前記各鉤部材を前記屈曲方向とは反対方向に押し上げて前記各案内溝の端部からそれぞれ離脱させる係合解除突起を設けたことを特徴とする折り畳みテーブル。
【請求項３】
請求項１又は２記載の折り畳みテーブルにおいて、
第１の支持部固定部材を、前記各支持部材にそれぞれ取り付け、
前記各第１の支持部固定部材に対して着脱自在の第２の支持部固定部材を、前記各支持部材の折り畳み時の前記各第１の支持部固定部材に対応する前記天板裏面側にそれぞれ取り付けたことを特徴とする折り畳みテーブル。
【請求項４】
請求項３記載の折り畳みテーブルにおいて、
前記各第１の支持部固定部材及び前記各第２の支持部固定部材は、互いに吸着可能な永久磁石、又はいずれか一方を永久磁石、他方を被吸着金属によりそれぞれ構成したことを特徴とする折り畳みテーブル。
【請求項５】
請求項１〜４のいずれか１項に記載の折り畳みテーブルにおいて、
前記天板、前記脚、及び前記支持部材は、木製であることを特徴とする折り畳みテーブル。
【発明の詳細な説明】
【技術分野】
【０００１】
本発明は、機械的強度が大きく、折り畳みが容易で、安全性の高い折り畳みテーブルに関するものである。
【背景技術】
【０００２】
従来、折り畳みテーブルに関する技術としては、例えば、次のような文献に記載されるものがあった。
【０００３】
【特許文献１】特開平８−１２６５２７号公報
【特許文献２】特開平１０−１７９２６１号公報
【特許文献３】特開平１０−３２７９３８号公報
【特許文献４】特開２００２−１６５６５９号公報
【０００４】
特許文献１は、折り畳み机に関する技術である。この折り畳み机では、天板の裏面に、取付金具により脚が回動自在に取り付けられている。脚の中央部付近に支持アームの一端が係合され、この支持アームの他端が、天板の裏面に取り付けられた摺動部材（スライド部材）により前記回動方向にスライドするようになっている。支持アームの他端は、ばねで付勢された係合突起により、スライド部材の所定位置で固定（ロック）されるようになっている。
【０００５】
特許文献２は、脚の折り畳み装置に関する技術である。この脚の折り畳み装置では、天板の裏面に脚が回動自在に取り付けられている。脚の回動部分には、ロックプレートが取り付けられ、操作レバーを操作してロックプレートを退避させることにより、立脚状態にある脚のロックを解除してこの脚を中間位置で一旦仮保持させる。次に、脚を倒す方向に押圧すると、ロックプレートが退避して中間位置にある脚の仮保持状態が解除され、脚を収納位置まで折り畳むことができるようになっている。
【０００６】
特許文献３は、折り畳み用角度調節器具に関する技術である。この折り畳み用角度調節器具では、天板の裏面に脚が回動自在に取り付けられている。脚の回動部分には、角度調節器具が取り付けられている。角度調節器具は、コイルばねで付勢された係合部材を、ブッシュロッドで受け部材内に押し込むことにより、脚の固定状態を解除し、脚を折り畳めるようになっている。
【０００７】
特許文献４は、脚のロック装置に関する技術である。この脚のロック装置では、天板を支持する脚の使用位置におけるロック及びロック解除を重力を利用して行い、天板を倒置したときにロック解除、天板を正置したときにロックを行うロック装置を脚の基部に設けている。
【発明の開示】
【発明が解決しようとする課題】
【０００８】
しかしながら、従来の脚の折り畳み構造では、次のような課題があった。
【０００９】
特許文献１の技術では、脚を回動方向に押圧することによりこの脚のロックが解除され、特許文献３の技術では、ブッシュロッドを押し込むことにより脚のロックが解除され、更に、特許文献４の技術では、テーブルを反転すると、重力により脚のロックが解除され、それぞれ簡単に脚を天板の裏面側に折り畳むことができる。しかし、子供の悪戯等によって脚のロックが簡単に解除されるので、脚を折り畳むと同時にこの脚が急激に倒れたり、天板が急激に倒れたりして、手や足等を挟んで怪我をすることがあった。
【００１０】
これに対し、特許文献２の技術では、脚を折り畳む際に、操作レバーを操作して脚を中間位置で一旦仮保持させるので、前記の問題をある程度解決できる。しかし、仮保持後、脚を倒す方向に押圧するだけで、その脚が簡単に天板の裏面側に折り畳まれるので、脚が頑丈で重量が重い場合には倒れる速度も速く、子供や老人等に対する安全性が充分とは言えなかった。しかも、脚の回動部分に取り付けたロックプレートでロックする構造であるため、ロックプレート部分に大きな応力が働き、機械的強度の劣化の虞もあった。
【００１１】
又、特許文献１〜４の技術では、脚の起立状態において、外力により、テーブルが水平方向にがたついたり、子供が悪戯等して脚のロック部分に手を挟んだり、脚のロック部分に大きな力が働いてこのロック部分の機械的強度が劣化し、この劣化が進行してロック部分が破損する虞があった。或いは、ロックが完全に掛かっているか否かを外部から確認し難いので、脚の起立状態において、ロックが完全に掛かっていないために、不意にテーブルが倒れて怪我等をするといった問題もあった。
【００１２】
本発明は、前記従来技術が持っていた課題を解決し、安全性が高く、取り扱いが容易で、脚の起立状態においてがたつきがなく、機械的強度が大きく、信頼性の優れる折り畳みテーブルを提供することを目的とする。
【課題を解決するための手段】
【００１３】
前記課題を解決するために、本発明の内の請求項１に係る発明の折り畳みテーブルでは、Ｘ方向とこれと直交するＹ方向とに広がる裏面と前記裏面に対して反対側の表面とを有する天板と、天板支持用の第１及び第２の脚と、第１、第２、第３及び第４の案内溝と、第１、第２、第３及び第４の軸受け部材と、第１、第２、第３及び第４のロック部材と、第１、第２、第３及び第４の支持部材とを備えている。
【００１４】
ここで、前記第１及び第２の脚は、前記天板裏面側において前記Ｙ方向に並列に配置され、前記Ｘ方向に対してそれぞれ回転自在に軸着された梁部と、前記各梁部の両端部にそれぞれほぼ直角方向に延設された柱部とをそれぞれ有している。前記第１、第２、第３及び第４の案内溝は、前記各柱部の先端から前記各梁部方向にそれぞれ形成されている。
【００１５】
前記第１、第２、第３及び第４の軸受け部材は、軸受け本体と第１の係止部とをそれぞれ有している。前記軸受け本体は、前記天板裏面側において前記各案内溝に対応して前記Ｘ方向にそれぞれ配設され、前記各柱部が前記天板裏面側にそれぞれ折り畳まれた時に前記各案内溝にそれぞれ挿入される。前記第１の係止部は、前記各軸受け本体にそれぞれ突設され、前記各柱部が前記天板裏面側にそれぞれ折り畳まれた時に前記各案内溝にそれぞれ挿入される。
【００１６】
前記第１、第２、第３及び第４のロック部材は、摺動部材と、係合部と、操作部と、第１の弾性部材と、鉤部材と、第２の弾性部材とをそれぞれ有している。前記摺動部材は、前記各案内溝内にそれぞれ摺動自在に装着され、一端が前記各第１の係止部に対してそれぞれ離接する。前記係合部は、前記各摺動部材における一端と他端との間にそれぞれ設けられている。前記操作部は、前記各摺動部材の他端側にそれぞれ設けられ、前記各案内溝からそれぞれ突出する。
【００１７】
前記第１の弾性部材は、前記各摺動部材の一端を前記各第１の係止部方向へそれぞれ付勢する。前記鉤部材は、前記各摺動部材の他端にそれぞれ蝶着され、前記各案内溝の端部に対してそれぞれ係合／離脱可能になっている。前記第２の弾性部材は、前記各鉤部材にそれぞれ屈曲力を与え、前記各第１の弾性部材の付勢力に抗して前記各操作部により前記各鉤部材が前記各案内溝の端部からそれぞれ引き出された時に前記各鉤部材を前記各案内溝の端部にそれぞれ係合させる。
【００１８】
前記第１、第２、第３及び第４の支持部材は、補強部と、案内部と、支持部と、第２の係止部とをそれぞれ有している。前記補強部は、前記各軸受け本体において前記Ｙ方向にそれぞれ回転自在に軸着され、前記各柱部における前記Ｘ方向への回転時に前記各案内溝をそれぞれ通過させる。案内部は、前記各補強部にそれぞれ突設され、前記各柱部における前記天板裏面側から、前記Ｘ方向及び前記Ｙ方向に対して直交するＺ方向への回転時に前記各摺動部材の一端とそれぞれ接触し、前記各柱部の回転角度が前記Ｚ方向の時に前記各摺動部材の一端をそれぞれ引き込む。
【００１９】
前記支持部は、前記各補強部にそれぞれ固定され、前記各補強部における前記天板裏面側と前記Ｚ方向との間の回転時に前記各補強部を前記Ｚ方向の回転位置でそれぞれ係止し、且つ前記各柱部における前記天板裏面側と前記Ｚ方向との間の回転時に前記各柱部を前記Ｚ方向の回転位置でそれぞれ係止する。更に、前記第２の係止部は、前記各柱部が前記Ｚ方向の回転角度の時に前記各摺動部材の係合部を係止して前記各柱部をそれぞれ固定する。
【００２０】
請求項２に係る発明では、請求項１の折り畳みテーブルにおいて、前記天板裏面側の前記各鉤部材と対応する位置にそれぞれ配置され、前記各脚の折り畳み時に前記各鉤部材を前記屈曲方向とは反対方向に押し上げて前記各案内溝の端部からそれぞれ離脱させる係合解除突起を設けている。
【００２１】
請求項３に係る発明では、請求項１又は２の折り畳みテーブルにおいて、第１の支持部固定部材を、前記各支持部材にそれぞれ取り付け、前記各第１の支持部固定部材に対して着脱自在の第２の支持部固定部材を、前記各支持部材の折り畳み時の前記各第１の支持部固定部材に対応する前記天板裏面側にそれぞれ取り付けている。
【００２２】
請求項４に係る発明では、請求項３の折り畳みテーブルにおいて、前記各第１の支持部固定部材及び前記各第２の支持部固定部材は、互いに吸着可能な永久磁石、又はいずれか一方を永久磁石、他方を被吸着金属によりそれぞれ構成している。
【００２３】
請求項５に係る発明では、請求項１〜４のいずれか１項の折り畳みテーブルにおいて、前記天板、前記脚、及び前記支持部材は、木製である。
【発明の効果】
【００２４】
請求項１に係る発明によれば、天板の表面側を上向きにした使用状態では、各脚がロック部材でロックされ、しかも、各脚が支持部材で支持されているので、Ｘ方向及びＹ方向の外力に対して強度が大きく、脚のがたつきを防止できる。各摺動部材の係合部と各第２の係止部との係合箇所（ロック箇所）において、支点から該ロック箇所までの距離が長いので、外力が加わっても、該ロック箇所に作用する力が小さくなり、ロック部材の変形や破損を防止できる。
【００２５】
テーブルの使用状態では、ロック部材の操作部を引き下げてロックを解除しようとしても、鉤部材が床等に当接して該操作部を引き下げることができないので、ロックを解除できない。そのため、使用中の不慮の事故を防止できる。しかも、脚全体を折り畳む場合、脚を折り畳んだ後に支持部材を折り畳む構造になっているので、脚全体が急激に倒れて手を挟む等といった怪我を防止できる。
【００２６】
更に、鉤部材が案内溝内に退避している時がロック状態、鉤部材が案内溝の端部から突出している時がロック解除状態、突出した鉤部材が案内溝の端部に結合している時がロック解除の保持状態であるので、ロックが完全に掛かっているか否かを外部から容易に確認できる。例えば、テーブルの使用状態において、案内溝の端部から鉤部材が突出していると、テーブルががたつくので、ロックが完全に掛かっていないことが分かる。そのため、ロックを掛け直すことにより、不意にテーブルが倒れて怪我等をすることを未然に防止でき、安全性が高い。
【００２７】
請求項２に係る発明によれば、脚を折り畳めば、鉤部材が係合解除突起に当接して案内溝の端部から外れるので、脚を立てる場合、テーブルを裏返して脚を立てれば、自動的にロックが掛かる。この際、脚の立て方が不完全等の原因によってロックが完全に掛かっていないと、鉤部材が案内溝内に退避しないので、ロック不完全状態が容易に分かり、ロックを掛け直すこと等ができる。そのため、取り扱いが簡単で、ロックの掛け忘れやロック不良による不慮の事故を未然に防止でき、安全性が高い。
【００２８】
請求項３及び４に係る発明によれば、支持部材を折り畳めば、これが第１及び第２の支持部固定部材で天板裏面側に固定され、取り扱いが簡単である。
【００２９】
請求項５に係る発明によれば、テーブル全体が木製であるので、重量も軽く、持ち運びも容易である。
【発明を実施するための最良の形態】
【００３０】
本発明の折り畳みテーブルでは、Ｘ方向とこれと直交するＹ方向とに広がる裏面と、この裏面に対して反対側の表面とを有する天板を備え、この天板の裏面側に、第１及び第２の脚がＸ方向に折り畳み自在に取り付けられている。
【００３１】
第１、第２の脚は、天板裏面側においてＹ方向に並列に配置され、Ｘ方向に対してそれぞれ回転自在に軸着された梁部と、この各梁部の両端部にそれぞれほぼ直角方向に延設された柱部とをそれぞれ有している。各柱部には、案内溝がそれぞれ形成されている。これらの各案内溝に対応して、天板の裏面側に軸受け部材がそれぞれ設けられている。軸受け部材は、軸受け本体と第１の係止部とを有している。軸受け本体は、柱部が天板裏面側に折り畳まれた時に案内溝にそれぞれ挿入される。第１の係止部は、柱部が天板裏面側に折り畳まれた時に案内溝に挿入される。
【００３２】
各案内溝内には、ロック部材がそれぞれ装着されている。ロック部材は、摺動部材と、係合部と、操作部と、第１、第２の弾性部材と、鉤部材とを有している。摺動部材は、案内溝内に摺動自在に装着され、一端が第１の係止部に対して離接する。係合部は、摺動部材における一端と他端との間に設けられている。操作部は、摺動部材の他端側に設けられ、案内溝から突出している。第１の弾性部材は、摺動部材の一端を第１の係止部方向へ付勢する。鉤部材は、摺動部材の他端に蝶着され、案内溝の端部に対して係合／離脱可能な構造になっている。第２の弾性部材は、鉤部材に屈曲力を与え、第１の弾性部材の付勢力に抗して操作部により鉤部材が案内溝の端部から引き出された時に、該鉤部材を案内溝の端部に係合させる。
【００３３】
脚の各柱部は、支持部材によってそれぞれ支持される。この支持部材は、補強部と、案内部と、支持部と、第２の係止部とを有している。補強部は、軸受け本体においてＹ方向に回転自在に軸着され、柱部におけるＸ方向への回転時に案内溝をそれぞれ通過させる。案内部は、補強部に突設され、柱部における天板裏面側から、Ｘ方向及びＹ方向に対して直交するＺ方向への回転時に、摺動部材の一端と接触し、該柱部の回転角度がＺ方向の時に、摺動部材の一端を引き込む。支持部は、補強部に固定され、該補強部における天板裏面側とＺ方向との間の回転時に該補強部をＺ方向の回転位置で係止すると共に、柱部における天板裏面側とＺ方向との間の回転時に該柱部をＺ方向の回転位置でそれぞれ係止する。更に、第２の係止部は、柱部がＺ方向の回転角度の時に摺動部材の係合部を係止して柱部を固定する。
【００３４】
このような折り畳みテーブルにおいて、例えば、立脚状態の時には、各脚の先端部側に設けられたロック部材の鉤部材が、第１の弾性部材の付勢力によって脚の内部に退避している。そのため、ロック部材における摺動部材の一端が支持部材の第２の係止部に係合してロックされ、該支持部材によって脚が起立状態に強固に固定されている。
【００３５】
脚を天板の裏面側に折り畳むには、先ず、天板を裏返す。そして、各脚の先端部側に設けられたロック部材の操作部を持ち上げてこのロック部材の鉤部材を案内溝の端部に係合させ、脚の固定状態（ロック）を解除する。支持部材の補強部に沿って脚を天板裏面側に折り畳んだ後、該支持部材を天板裏面側に折り畳めば、安全で且つ容易に脚の折り畳みが行える。
【実施例１】
【００３６】
（構成）
図１は本発明の実施例１を示す折り畳みテーブルの裏面側の斜視図、図２〜図４は図１の脚の折り畳み状態を示す折り畳みテーブルの裏面側の斜視図、図５は図１の脚の折り畳み状態を示す折り畳みテーブルの裏面側の平面図、図６は図１の折り畳みテーブルの表面側の平面図、図７は図１中の天板部分の裏面側の斜視図、及び図８は図１中の支持部材箇所の分解斜視図である。
【００３７】
この折り畳みテーブルは、例えば、全体が木製でできており、貼り付け合板等で形成されたほぼ長方形の天板１０を有している。天板１０の裏面には、長手方向（即ち、Ｘ方向）の両側部に、長尺の柱状をしている一対の補強部材１１−１，１１−２が固定され、該長手方向に対して直交する短手方向（即ち、Ｙ方向）の両側部に、短尺の柱状をしている二対の脚用の軸受け部材１２−１〜１２−４が固定されている。Ｘ方向及びＹ方向に対して直交するＺ方向が立脚方向となる。一対の補強部材１１−１，１１−２の内側の中央部には、ロック解除用の一対の係合解除突起１３−１，１３−２が設けられている。
【００３８】
天板１０の裏面の四隅には、支持部材用の軸受け部１４−１〜１４−４が突設され、これらに対応してＸ方向に沿って支持部材用の第１、第２、第３、第４の軸受け部材１５−１〜１５−４が突設されている。各軸受け部材１５−１〜１５−４は、Ｘ方向に延びる柱状の軸受け本体１５ａを有している。軸受け本体１５ａにおける係合解除突起１３−１，１３−２側の一端には、下方向に突出する軸受け部１５ｂが延設されている。軸受け本体１５ａにおける軸受け部１４−１〜１４−４側の他端の外側面には、第１の係止部１５ｃが突設されている。更に、軸受け部１４−１，１４−２間に第２の支持部固定部材（例えば、永久磁石）１６−１，１６−２が突設されると共に、軸受け部１４−３，１４−４間に第２の支持部固定部材（例えば、永久磁石）１６−３，１６−４が突設されている。天板１０の裏面のほぼ中央には、折り畳んだテーブルを引っ掛けて持ち運ぶための取っ手１７が取り付けられている。
【００３９】
同一のＹ方向軸上に位置する補強部材１１−１，１１−２の一端部と軸受け部材１２−１，１２−２とには、回転軸１９−１が貫装されている。この回転軸１９−１には、天板１０を支持するためのほぼコ字形の第１の脚２０−１がＸ方向に回転可能に軸着されている。第１の脚２０−１は、回転軸１９−１に軸着された第１の梁部２１−１を有し、この梁部２１−１の両端部からほぼ直角方向に、天板支持用の第１及び第２の柱部２２−１，２２−２が延設されている。
【００４０】
回転軸１９−１に対向して、同一のＹ方向軸上に位置する補強部材１１−１，１１−２の他端部と軸受け部材１２−３，１２−４とにも、回転軸１９−２が貫装され、この回転軸１９−２に、ほぼコ字形の第２の脚２０−２がＸ方向に回転可能に軸着されている。第２の脚２０−２は、第１の脚２０−１と同一の構造であり、回転軸１９−２に軸着された第２の梁部２１−２を有し、この梁部２１−２の両端部からほぼ直角方向に、天板支持用の第３及び第４の柱部２２−３，２２−４が延設されている。
【００４１】
同一のＸ方向軸上に位置する軸受け部１４−１と第１の軸受け部材１５−１の軸受け部１５ｂとには、回転軸３９−１が貫装されている。この回転軸３９−１には、第１の脚２０−１を支持固定するためのほぼＬ字形の第１の支持部材４０−１がＹ方向に回転可能に軸着されている。同様に、同一のＸ方向軸上に位置する軸受け部１４−２と第２の軸受け部材１５−２の軸受け部１５ｂとに、回転軸３９−２が貫装され、同一のＸ方向軸上に位置する軸受け部１４−３と第３の軸受け部材１５−３の軸受け部１５ｂとに、回転軸３９−３が貫装され、同一のＸ方向軸上に位置する軸受け部１４−４と第４の軸受け部材１５−４の軸受け部１５ｂとに、回転軸３９−４が貫装されている。各回転軸３９−２〜３９−４には、第１、第２の脚２０−１，２０−２を支持固定するためのほぼＬ字形の第２、第３、第４の支持部材４０−２〜４０−４が、それぞれＹ方向に回転可能に軸着されている。
【００４２】
各支持部材４０−１〜４０−４は、立脚時の各柱部２２−１〜２２−４の倒れをＸ方向外側から阻止する支持部（例えば、板状の支柱）４１−１〜４１−４と、この各支柱４１−１〜４１−４のＸ方向内側に固定されて該各支柱４１−１〜４１−４のＸ方向に対する強度を補強する補強部（例えば、ほぼＬ字形の板状の補強材）４２−１〜４２−４とをそれぞれ有し、この各補強材４２−１〜４２−４における屈曲箇所の外側角が切り欠かれている。各補強材４２−１〜４２−４は、軸部４２−１ａ〜４２−４ａと、この軸部４２−１ａ〜４２−４ａに対してほぼ直角方向に延設されて各支柱４１−１〜４１−４のＸ方向内側に固定された固定部４２−１ｂ〜４２−４ｂとによりそれぞれ構成されている。各軸部４２−１ａ〜４２−４ａの側縁部と各支柱４１−１〜４１−４の端部とは、各回転軸３９−１〜３９−４に回転自在に軸着されている。
【００４３】
各支柱４１−１〜４１−４のＸ方向外側面の端部には、係合突起４３−１〜４３−４がそれぞれ突設され、これらの各支柱４１−１〜４１−４の立脚時において該係合突起４３−１〜４３−４が各軸受け部１４−１〜１４−４の側面にそれぞれ当接して該各支柱４１−１〜４１−４のＹ方向への倒れが阻止される構造になっている。各固定部４２−１ｂ〜４２−４ｂの先端側には、第２の係止部（例えば、凹状に切り欠かれた係合凹部）４４−１〜４４−４がそれぞれ形成され、該各固定部４２−１ｂ〜４２−４ｂの立脚時において該係合凹部４４−１〜４４−４により立脚時の各柱部２２−１〜２２−４をそれぞれ係止するようになっている。更に、各補強材４２−１〜４２−４の屈曲箇所の外側面には、扇形の案内部（例えば、案内板）４５−１〜４５−４がそれぞれ突設されている。
【００４４】
図９（Ａ）、（Ｂ）、図１０は図１中の脚部分の分解斜視図、及び図１１（Ａ）〜（Ｃ）は図１中のロック部材の斜視図である。
【００４５】
脚２０−１は、例えば、４枚のほぼコ字形の脚本体板２０−１ａ〜２０−１ｄが貼り付けられた貼り付け合板により形成され、この第１、第２の柱部２２−１，２２−２の梁部側から先端にかけて、各支持部材４０−１，４０−２の補強材４２−１，４２−２を通過させるための第１、第２の案内溝２３−１，２３−２がそれぞれ貫通成形されている。各案内溝２３−１，２３−２内の梁部側における外側の側壁には、各支持部材４０−１，４０−２の案内板４５−１，４５−２を通過させるための凹部２４−１，２４−２がそれぞれ形成されている。第１の案内溝２３−１及び凹部２４−１は、各脚本体板２０−１ａ〜２０−１ｄにそれぞれ貫通形成された案内溝２３−１ａ〜２３−１ｄ及び凹部２４−１ａ，２４−１ｂ，２４−１ｄの積層構造により形成されている。同様に、第２の案内溝２３−２及び凹部２４−２も、各脚本体板２０−１ａ〜２０−１ｄにそれぞれ貫通形成された案内溝２３−２ａ〜２３−２ｄ及び凹部２４−２ａ，２４−２ｂ，２４−２ｄの積層構造により形成されている。
【００４６】
第１、第２の案内溝２３−１，２３−２内には、同一構造の第１、第２のロック部材２５−１，２５−２がそれぞれ摺動自在に装着され、これらの第１、第２のロック部材２５−１，２５−２が、第１、第２の柱部２２−１，２２−２の先端側にそれぞれ螺子留めされる蓋２６−１，２６−２によりそれぞれ覆われている。各蓋２６−１，２６−２のほぼ中央には、各案内溝２３−１，２３−２に対向して案内溝２６−１ａ，２６−２ａがそれぞれ貫通形成されている。更に、各蓋２６−１，２６−２の裏面側には、各案内溝２３−１，２３−２内に挿入される一対のスプリング係止部２６−１ｂ，２６−１ｃがそれぞれ突設されている。
【００４７】
各ロック部材２５−１，２５−２は、各案内溝２３−１，２３−２内にそれぞれ摺動自在に挿入された摺動部材２５ａを有し、これらの各摺動部材２５ａにおける一端と他端との間に段差状の係合部２５ｂがそれぞれ設けられている。各摺動部材２５ａは、各案内溝２３−１ｂ，２３−１ｃ，２３−２ｂ，２３−２ｃ内にそれぞれ収納される柱状のロック本体２５ａ−１を有し、これらの各ロック本体２５ａ−１の一端の係合部２５ｂ側の両側面に、摺動用の長尺レール２５ａ−２及び短尺レール２５ａ−３がそれぞれ固着されている。長尺レール２５ａ−２の先端は、各支持部材４０−１，４０−２における各案内板４５−１，４５−２の円弧面に対してそれぞれ離接するようになっている。ロック本体２５ａ−１の他端側の上面には、各案内溝２６−１ａ，２６−２ａからそれぞれ突出する操作部２５ｃが、螺子２５ｄ，２５ｅにより固定されている。ロック本体２５ａ−１の他端には回転軸２５ｆが挿着され、この回転軸２５ｆに、鉤部材２５ｇの軸受け部２５ｈが軸着されている。
【００４８】
回転軸２５ｆには第２の弾性部材（例えばスプリング）２５ｉが装着され、このスプリング２５ｉによって鉤部材２５ｇが操作部２５ｃ側に屈曲するように付勢されている。長尺レール２５ａ−２及び短尺レール２５ａ−３の端部と、蓋裏面のスプリング係止部２６−１ｂ，２６−１ｃとの間には、該長尺レール２５ａ−２の一端（即ち、先端）を各支持部材４０−１，４０−２の案内板４５−１，４５−２側へそれぞれ押圧するための２本の第１の弾性部材（例えば、スプリング）２５ｊ，２５ｋがそれぞれ挿着され、これらのスプリング２５ｊ，２５ｋによって各鉤部材２５ｇが各案内溝２３−１，２３−２内に退避するようにそれぞれ付勢されている。
【００４９】
（天板の表面側を上向きにした使用状態の動作）
図１２は図１の脚２０−２がロックされている状態の柱部２２−４付近の斜視図、及び図１３は図１の脚２０−２がロックされている状態の柱部２２−３付近の側面図である。
【００５０】
図１、図１２及び図１３に示すように、天板１０の表面側を上向きにした使用状態では、該天板１０から脚２０−１，２０−２がＺ方向軸上の下方向に立っている。各スプリング２５ｊ，２５ｋの付勢力により、各ロック部材２５−１〜２５−４における長尺レール２５ａ−２の先端が、各支持部材４０−１〜４０−４における各案内板４５−１〜４５−４から外れて内部に引き込まれ、各鉤部材２５ｇが案内溝２３−１〜２３−４内にそれぞれ退避している。この時、各ロック部材２５−１〜２５−４の係合部２５ｂが、各支持部材４０−１〜４０−４の係合凹部４４−１〜４４−４内にそれぞれ嵌入し、各柱部２２−１〜２２−４がそれぞれロックされて固定されている。
【００５１】
そのため、テーブルに外力をかけても、脚２０−１，２０−２ががたついたり、或いは折り畳まれるようなことはない。例えば、脚２０−１，２０−２の柱部２２−１〜２２−４にＸ方向外側への外力が加わると、これが支持部材４０−１〜４０−４の支柱４１−１〜４１−４で打ち消される。柱部２２−１〜２２−４にＸ方向内側への外力が加わると、ロック部材２５−１〜２５−４の係合部２５ｂと支持部材４０−１〜４０−４の係合凹部４４−１〜４４−４との嵌合状態（ロック状態）により、その外力が打ち消される。これにより、脚２０−１，２０−２のＸ方向の回動が阻止される。
【００５２】
脚２０−１，２０−２にＹ方向の外力が加わると、柱部２２−１，２２−２が梁部２１−１に固定されると共に、柱部２２−３，２２−４が梁部２１−２に固定されているので、その外力が打ち消され、脚２０−１，２０−２のＹ方向の回動が阻止される。よって、Ｘ方向及びＹ方向の外力による脚２０−１，２０−２のがたつきを防止でき、この脚２０−１，２０−２を強固に固定できる。その上、各係合部２５ｂと各係合凹部４４−１〜４４−４との嵌合箇所（ロック箇所）において、支点から該ロック箇所までの距離が長いので、該ロック箇所に作用する力が小さくなり、ロック部材２５−１〜２５−４の変形や破損を防止できる。
【００５３】
又、テーブルの使用状態では、ロック部材２５−１〜２５−４の操作部２５ｃを引き下げてロックを解除しようとしても、鉤部材２５ｇが床等に当接して該操作部２５ｇを引き下げることができないので、ロックを解除できない。そのため、使用中の不慮の事故を防止できる。
【００５４】
（脚の折り畳みの動作）
図１４は図１の脚２０−２のロックが解除されている状態の柱部２２−４付近の斜視図、図１５は図１の脚２０−２がロックされている状態の柱部２２−３付近の側面図、及び図１６は脚２０−２を倒した状態の斜視図である。
【００５５】
図２、図１４及び図１５に示すように、脚２０−１，２０−２を折り畳むには、テーブルを裏返して天板１０の裏面側を上向きにする。そして、スプリング２５ｊ，２５ｋの付勢力に抗して、各ロック部材２５−１〜２５−４の操作部２５ｃを持ち上げて各鉤部材２５ｇを各案内溝２３−１〜２３−４の端部から突出させると、スプリング２５ｉの付勢力により各鉤部材２５ｇが操作部２５ｃ方向へ回動して各案内溝２３−１〜２３−４の端部に係合する。これにより、各ロック部材２５−１〜２５−４の係合部２５ｂが各支持部材４０−１〜４０−４の係合凹部４４−１〜４４−４から離脱すると共に、各長尺レール２５ａ−２の先端が各支持部材４０−１〜４０−４の案内板４５−１〜４５−４から外れるので、脚２０−１，２０−２のロック状態が解除される。
【００５６】
次に、各回転軸１９−１，１９−２を支点にして各脚２０−１，２０−２をＸ方向内側に倒していくと、各支持部材４０−１〜４０−４の補強部４２−１〜４２−４に沿って、各柱部２２−１〜２２−４の案内溝２３−１〜２３−４がＸ方向内側に回動すると共に、各長尺レール２５ａ−２の先端が各案内板４５−１〜４５−４の円弧面の外周をＸ方向内側に回動し、脚２０−１，２０−２が天板１０の裏側に折り畳まれていく。各案内溝２３−１〜２３−４が各軸受け部材１５−１〜１５−４の軸受け部１５ｂを通過して、これらの各案内溝２３−１〜２３−４内に各軸受け本体１５ａが嵌入すると共に、各長尺レール２５ａ−２の先端が各案内板４５−１〜４５−４の円弧面から外れて各軸受け部材１５−１〜１５−４の係止部１５ｃの位置に達すると、脚２０−１，２０−２が折り畳まれた状態になる。
【００５７】
図３及び図１６に示すように、脚２０−１，２０−２が折り畳まれると、各ロック部材２５−１〜２５−４の鉤部材２５ｇが天板裏面側の係合解除突起１３−１，１３−２に当接して持ち上げられるので、各鉤部材２５ｇが案内溝２３−１〜２３−４の端部から外れる。すると、スプリング２５ｊ，２５ｋの付勢力により各鉤部材２５ｇが各案内溝２３−１〜２３−４内へ後退し、各長尺レール２５ａ−２の先端が各軸受け部材１５−１〜１５−４の係止部１５ｃに押し付けられ、ロックが解除された状態になる。
【００５８】
その後、図４に示すように、各回転軸３９−１〜３９−４を支点して各支持部材４０−１〜４０−４をＹ方向内側に倒すと、これらの各支持部材４０−１〜４０−４側の永久磁石４６−１〜４６−４が、天板裏面側の永久磁石１６−１〜１６−４に吸着する。これにより、折り畳まれた支持部材４０−１〜４０−４が天板１０の裏面に固定される。そして、天板１０の裏面側の取っ手１７を持てば、簡単に持ち運びができる。
【００５９】
このように、脚２０−１，２０−２を折り畳んだ後に支持部材４０−１〜４０−４を折り畳む構造になっているので、脚全体が急激に倒れて手を挟む等といった怪我を防止できる。
【００６０】
（脚を立てるときの動作）
折り畳まれた脚２０−１，２０−２を立てるには、テーブルを裏返して天板１０の裏面側を上向きにする。各回転軸３９−１〜３９−４を支点にして各支持部材４０−１〜４０−４をＹ方向外側に回動させれば、これらの各支持部材４０−１〜４０−４の係合突起４３−１〜４３−４が各軸受け部１４−１〜１４−４の側面に係止され、該各支持部材４０−１〜４０−４がＺ方向に立ち上がった位置で固定される。
【００６１】
脚２０−１，２０−２はロックが解除された状態になっているので、各回転軸１９−１，１９−２を支点してその各脚２０−１，２０−２をＸ方向外側に回動させる。すると、各軸受け部材１５−１〜１５−４の軸受け部１５ｂ及び各支持部材４０−１〜４０−４の補強部４２−１〜４２−４に沿って、各案内溝２３−１〜２３−４が立ち上がると共に、各ロック部材２５−１〜２５−４における長尺レール２５ａ−２の先端が、各軸受け部材１５−１〜１５−４の係止部１５ｃから各支持部材４０−１〜４０−４の案内板４５−１〜４５−４の円弧面に沿って回動していく。
【００６２】
各脚２０−１，２０−２がＺ方向に立ち上がると、これらの各柱部２２−１〜２２−４が各支持部材４０−１〜４０−４の支柱４１−１〜４１−４に係止される。この際、各長尺レール２５ａ−２の先端が各案内板４５−１〜４５−４の円弧面から外れ、スプリング２５ｊ，２５ｋの付勢力により各係合部ｂが後退して各係合凹部４４−１〜４４−４に嵌入する。これにより、各脚２０−１，２０−２がＺ方向に立ち上がった位置でロックされて固定される。
【００６３】
このように、脚２０−１，２０−２を立てると、自動的にロックが掛かるので、取り扱いが簡単で、しかも、ロックの掛け忘れによる不慮の事故を未然に防止でき、安全性が高い。
【００６４】
（効果）
この実施例１では、  次の（１）〜（７）のような効果がある。
【００６５】
（１）  天板１０の表面側を上向きにした使用状態では、天板１０の裏面における長手方向の両側部が補強部材１１−１，１１−２で支持され、短手方向の両側部がほぼコ字形の脚２０−１，２０−２の梁部２１−１，２１−２で支持されているので、垂直方向の外力に対する天板１０の強度が大きい。その上、ほぼコ字形の脚２０−１，２０−２がロック部材２５−１〜２５−４でロックされ、しかも、その脚２０−１，２０−２がほぼＬ字形の支持部材４０−１〜４０−４で支持されているので、水平方向の外力に対して強度が大きく、脚２０−１，２０−２のがたつきを防止できる。
【００６６】
（２）  各ロック部材２５−１〜２５−４の係合部２５ｂと各係合凹部４４−１〜４４−４との嵌合箇所（ロック箇所）において、支点から該ロック箇所までの距離が長いので、外力が加わっても、該ロック箇所に作用する力が小さくなり、ロック部材２５−１〜２５−４の変形や破損を防止できる。
【００６７】
（３）  テーブルの使用状態では、ロック部材２５−１〜２５−４の操作部２５ｃを引き下げてロックを解除しようとしても、鉤部材２５ｇが床等に当接して該操作部２５ｃを引き下げることができないので、ロックを解除できない。そのため、使用中の不慮の事故を防止できる。
【００６８】
（４）  脚全体を折り畳む場合、脚２０−１，２０−２を折り畳んだ後に支持部材４０−１〜４０−４を折り畳む構造になっているので、脚全体が急激に倒れて手を挟む等といった怪我を防止できる。
【００６９】
（５）  各鉤部材２５ｇが各案内溝２３−１〜２３−４内に退避している時がロック状態、各鉤部材２５ｇが各案内溝２３−１〜２３−４の端部から突出している時がロック解除状態、突出した各鉤部材２５ｇが各案内溝２３−１〜２３−４の端部に結合している時がロック解除の保持状態であるので、ロックが完全に掛かっているか否かを外部から容易に確認できる。例えば、テーブルの使用状態において、案内溝２３−１の端部から鉤部材２５ｇが突出していると、テーブルががたつくので、ロックが完全に掛かっていないことが分かる。そのため、ロックを掛け直すことにより、不意にテーブルが倒れて怪我等をすることを未然に防止でき、安全性が高い。
【００７０】
（６）  脚全体を立てる場合、テーブルを裏返して脚２０−１，２０−２を立てれば、自動的にロックが掛かる。この際、脚２０−１，２０−２の立て方が不完全等の原因によってロックが完全に掛かっていないと、各鉤部材２５ｇが各案内溝２３−１〜２３−４内に退避しないので、ロック不完全状態が容易に分かり、ロックを掛け直すこと等ができる。そのため、取り扱いが簡単で、しかも、ロックの掛け忘れやロック不良による不慮の事故を未然に防止でき、安全性が高い。
【００７１】
（７）  脚全体の折り畳み構造やロック構造は、簡単で、機械的強度も大きく、安全性も高い。しかも、テーブル全体が木製であるので、重量も軽く、持ち運びも容易である。
【実施例２】
【００７２】
本発明は、上記実施例１に限定されず、種々の変形が可能である。この変形例である実施例２としては、例えば、次の（ａ）〜（ｃ）のようなものがある。
【００７３】
（ａ）  脚２０−１，２０−２の形状や軸着構造等、或いは支持部材４０−１〜４０−４の形状や軸着構造等は、図示以外の他の形状や構造等に変更しても良い。
【００７４】
（ｂ）  案内溝２３−１〜２３−４内を摺動するロック部材２５−１〜２５−４との摩擦抵抗が大きい場合には、これらの案内溝２３−１〜２３−４とロック部材２５−１〜２５−４との摩擦部分に滑り軸受け等を設けてロック部材２５−１〜２５−４を滑り易くしても良い。ロック部材２５−１〜２５−４を２本のスプリング２５ｊ，２５ｋで付勢しているが、これらを１本にしたり、或いは他の部分に装着してロック部材２５−１〜２５−４に付勢力を加えるようにしても良い。又、鉤部材２５ｇに屈曲力を与えるスプリング２５ｉは、回転軸２５ｆ以外の箇所に設けたり、或いは省略して他のスプリング２５ｊ，２５ｋによって屈曲力を得るようにしても良い。
【００７５】
（ｃ）  テーブルは、金属やプラスチック等で作っても良い。
【産業上の利用可能性】
【００７６】
上記実施例では、折り畳みテーブルについて説明したが、本発明はテーブルに限定されず、折り畳み机、折り畳み台等の他の家具にも利用できる。
【図面の簡単な説明】
【００７７】
【図１】本発明の実施例１を示す折り畳みテーブルの裏面側の斜視図である。
【図２】図１の脚の折り畳み状態を示す折り畳みテーブルの裏面側の斜視図である。
【図３】図１の脚の折り畳み状態を示す折り畳みテーブルの裏面側の斜視図である。
【図４】図１の脚の折り畳み状態を示す折り畳みテーブルの裏面側の斜視図である。
【図５】図１の脚の折り畳み状態を示す折り畳みテーブルの裏面側の平面図である。
【図６】図１の折り畳みテーブルの表面側の平面図である。
【図７】図１中の天板部分の裏面側の斜視図である。
【図８】図１中の支持部材箇所の分解斜視図である
【図９】図１中の脚部分の分解斜視図である。
【図１０】図１中の脚部分の分解斜視図である。
【図１１】図１中のロック部材の斜視図である。
【図１２】図１の脚２０−２がロックされている状態の柱部２２−４付近の斜視図である。
【図１３】図１の脚２０−２がロックされている状態の柱部２２−３付近の側面図である。
【図１４】図１の脚２０−２のロックが解除されている状態の柱部２２−４付近の斜視図である。
【図１５】図１の脚２０−２がロックされている状態の柱部２２−３付近の側面図である。
【図１６】図１の脚２０−２を倒した状態の斜視図である。
【符号の説明】
【００７８】
１０                            天板
１１−１，１１−２              補強部材
１２−１〜１２−４，１５−１〜１５−４      軸受け部材
１４−１〜１４−４              軸受け部
１３−１，１３−２              係合解除突起
１６−１〜１６−４              永久磁石
１５ｃ，４４−１〜４４−４      係止部
２０−１，２０−２              脚
２１−１，２１−２              梁部
２２−１〜２２−４              柱部
２３−１〜２３−４              案内溝
２５−１〜２５−４              ロック部材
２５ａ                          摺動部材
２５ｂ                          係合部
２４ｃ                          操作部
２５ｇ                          鉤部材
２５ｉ，２５ｊ，２５ｋ          スプリング
４０−１〜４０−４              支持部材
４１−１〜４１−４              支柱
４２−１〜４２−４              補強部
４５                            案内板
【図１】
2005130913.tif 000003
【図２】
2005130913.tif 000004
【図３】
2005130913.tif 000005
【図４】
2005130913.tif 000006
【図５】
2005130913.tif 000007
【図６】
2005130913.tif 000008
【図７】
2005130913.tif 000009
【図８】
2005130913.tif 000010
【図９】
2005130913.tif 000011
【図１０】
2005130913.tif 000012
【図１１】
2005130913.tif 000013
【図１２】
2005130913.tif 000014
【図１３】
2005130913.tif 000015
【図１４】
2005130913.tif 000016
【図１５】
2005130913.tif 000017
【図１６】
2005130913.tif 000018